(57)【要約】      （修正有）【課題】幼児のための調節可能な座の高さを備えるベビーキャリアを提供する。【解決手段】キャリアバッグ４は脚部開口を有するフロントピース５を具備し、フロントピース５は手段１２の少なくとも一部と協働してキャリアポーチ６を形成する。フロントピースの下側部分７は第１臀部支持部８を形成する。第２臀部支持部が下側部分と手段との間の、フロントピースの下側部分の内側に固定的に配置される。第２臀部支持部は、第２臀部支持部を非形成にできるように、フロントピースの幅方向に配置された分離手段１４により分割可能である。第２臀部支持部は、第１臀部支持部の座幅よりも狭い座幅を有する。フロントピースは、夫々の脚部開口において、可撓性及び／又は開放可能な側縁部１３であって、第２臀部支持部により支持されたときにおける幼児のより狭い下肢の位置を可能にする側縁部を備える。【選択図】図２
2018149349.tif 000002
【特許請求の範囲】
【請求項１】
装着者の両方の肩領域の回りに延在するように配置された胸部ストラップ（２）と、腰ベルト（３）と、前記胸部ストラップ及び前記腰ベルトに取付けられたキャリアバッグ（４）とを具備するベビーキャリア（１）であって、前記キャリアバッグ（４）は脚部開口を有するフロントピース（５）を具備し、前記フロントピース（５）は手段（１２）の少なくとも一部と協働してキャリアポーチ（６）を形成しており、前記フロントピース（５）の下側部分（７）は第１臀部支持部（８）を形成し、且つ前記フロントピース（５）は上側部分（９）において夫々の胸部ストラップ（２）に対してバックル（１０）により取り外し可能に取付けられる、ベビーキャリア（１）において、
第２臀部支持部（１１）が、前記下側部分（７）と前記手段（１２）との間の、前記フロントピース（５）の下側部分（７）の内側に固定的に配置され、
前記第２臀部支持部（１１）は、該第２臀部支持部（１１）を非形成にできるように、前記フロントピースの幅方向に配置された分離手段（１４）により分割可能であり、
前記第２臀部支持部（１１）は、前記第１臀部支持部（８）の座幅よりも狭い座幅を有し、且つ、
前記フロントピース（５）は、夫々の脚部開口において、可撓性及び／又は開放可能な側縁部（１３）であって、前記第２臀部支持部（１１）により支持されたときにおける幼児のより狭い下肢の位置を可能にする側縁部（１３）を備えることを特徴とする、ベビーキャリア（１）。
【請求項２】
前記フロントピース（５）の前記下側部分（７）は、前記腰ベルト（３）の上側境界部（３ａ）に対して固定的に取付けられることを特徴とする、請求項１記載のベビーキャリア。
【請求項３】
前記第２臀部支持部（１１）は、前記フロントピース（５）の前記下側部分（７）と前記手段（１２）の下側部分（１２ａ）との間に配置され、且つ、
前記手段（１２）は、夫々の胸部ストラップ（２）の第１部分（２ａ）の一部で形成され、前記第１部分の一端は前記腰ベルト（３）に対して固定的に取付けられることを特徴とする、請求項１又は２に記載のベビーキャリア。
【請求項４】
前記第２臀部支持部（１１）は、前記フロントピース（５）の前記下側部分（７）と前記手段（１２）の下側部分（１２ａ）との間に配置され、且つ、
前記手段（１２）は、一体片で形成された部分（２ｃ）であって、該部分（２ｃ）の一端は前記腰ベルト（３）に対して固定的に取付けられ且つ該部分（２ｃ）の他端は夫々の胸部ストラップ（２）の第１部分（２ａ）に対して固定的に取付けられる部分（２ｃ）により形成されることを特徴とする、請求項１又は２に記載のベビーキャリア。
【請求項５】
前記分離手段（１４）は、ジッパ、面ファスナ、カギホック、プラスチック材料もしくは金属製の結合具、ボタン、及びレーシングから成る群から選択されることを特徴とする、請求項１乃至４のいずれか一項に記載のベビーキャリア。
【請求項６】
前記分離手段（１４）は、少なくとも部分的に手段（２０）により覆われることを特徴とする、請求項１乃至５のいずれか一項に記載のベビーキャリア。
【請求項７】
前記分離手段（１４）は信号用の色彩を有することを特徴とする、請求項１乃至６のいずれか一項に記載のベビーキャリア。
【請求項８】
夫々の胸部ストラップ（２）は、前記腰ベルト（３）から夫々の胸部ストラップ（２）のバックル（１５）まで延在する第１部分（２ａ）と、前記バックル（１５）から前記フロントピース（５）の一側まで延在する第２部分（２ｂ）とを具備することを特徴とする、請求項１記載のベビーキャリア。
【請求項９】
前記第２部分（２ｂ）の少なくとも一方は、前記フロントピース（５）の前記側面に対して接続デバイス（１６）により取り外し可能に取付けられることを特徴とする、請求項８記載のベビーキャリア。
【請求項１０】
胸部ストラップ（２）は、該胸部ストラップに沿って移動可能なバックル（１７）により、装着者の背中側において相互に接続されることを特徴とする、請求項１乃至９のいずれか一項に記載のベビーキャリア。
【請求項１１】
前記手段（２０）は、前記第２臀部支持部（２）の形成状態において、該第２臀部支持部（１１）を全体的に又は部分的に覆うように配置されることを特徴とする、請求項６乃至１０のいずれか一項に記載のベビーキャリア。
【請求項１２】
前記第２臀部支持部（１１）の奥行き（Ｘ＋Ｙ）であって、前記手段（１２）に対するそれの取付け点と、前記フロントピース（５）の前記下側部分（７）に対するそれぞれのそれの取付け点との間における奥行き（Ｘ＋Ｙ）は、前記フロントピース（５）の前記下側部分（７）に対する前記第２臀部支持部（１１）の取付け点と、前記腰ベルト（３）の上側境界部（３ａ）に対する前記第１臀部支持部（８）の取付け点との間の距離（Ｚ）よりも短いことを特徴とする、請求項２乃至１１のいずれか一項に記載のベビーキャリア。
【請求項１３】
前記奥行き（Ｘ＋Ｙ）は、約４０〜８０ｍｍ、好適には約５０〜７０ｍｍ、最も好適には約６０ｍｍであり、且つ、
前記距離（Ｚ）は、約７５〜１１５ｍｍ、好適には約８５〜１０５ｍｍ、最も好適には約９５ｍｍであることを特徴とする、請求項１２記載のベビーキャリア。
【請求項１４】
少なくとも、前記第１臀部支持部（８）の夫々の側縁部（１３）は、ジッパ（２１）の開き位置において前記第１臀部支持部（８）の座幅を減少するようにジッパ（２１）を備えることを特徴とする、請求項１乃至１３のいずれか一項に記載のベビーキャリア。
【請求項１５】
当該ベビーキャリアは、前記フロントピース（５）の関連部分と協働して閉ループを形成するように、前記フロントピース（５）に対する胸部ストラップ（２）の夫々の第２部分（２ｂ）の取付け点同士の間に且つ前記取付け点のレベルで延在するように配置された基本的に水平なストラップ（１９）を更に具備し、且つ、
前記ストラップ（１９）は、胸部ストラップ（２）の夫々の部分（２ａ）に対し、又は一体片で形成された前記部分（２ｃ）に取付けられることを特徴とする、請求項８乃至１３のいずれか一項に記載のベビーキャリア。
【請求項１６】
当該ベビーキャリアは、赤ん坊の顔面を装着者に向けた状態で赤ん坊を担持すべく設計されることを特徴とする、請求項１乃至１５のいずれか一項に記載のベビーキャリア。
【発明の詳細な説明】
【技術分野】
【０００１】
本発明は、請求項１の前提部分に示された形式のベビーキャリアに関する。
【背景技術】
【０００２】
故に、本発明は、胸部ストラップを具備する一般的な形式の装着帯と、腰ベルトと、装着帯及び腰ベルトに取付けられたキャリアポーチとを含むベビーキャリアに関するものであり、前記キャリアポーチは、脚部開口を備えたフロントピースと胸部ストラップの少なくとも一部もしくは類似手段とにより形成されている。
【０００３】
本発明に係るベビーキャリアは、好適には、その顔面が該ベビーキャリアの装着者に対して向けられた状態、即ち顔を見合わせた状態で赤ん坊を担持することが意図される。
【０００４】
長期間に亙り、一つの同一のベビーキャリアを使用できることが望ましいであろう。しかし、一つの問題は、赤ん坊が自身の生涯の初年中に比較的大きく成長する結果、キャリアにおける赤ん坊に対する座の高さが、好適には単純で安全な様式で、即ち赤ん坊位置と幼児位置との間で調節可能でなければならないということになる。
【０００５】
通常、このことは、臀部支持部を形成するフロントピースの下側部分によりなされ、前記下側部分は、所望の座の高さに依存して適切なバックルにより短縮もしくは伸張され得る舌状部として形作られている。
【０００６】
しかし、これは、臀部支持部が、比較的に幅が狭くなって大きな又は重い幼児には適合せず、且つ座の高さがベビーキャリアの装着者の認識なしに場合によっては変化するという結果を招く。
【０００７】
この問題を、比較的幅の狭い臀部支持部により回避する一つの手法は、比較的幅の広い臀部支持部を実現するために、フロントピースの下側部分を腰ベルトに取付けることである。しかし、このことは、幼児の座の高さを調節する可能性が失われる結果を招く。
【０００８】
別の形式のベビーキャリアにおいては、そのベビーキャリアを長期に亙り使用できるように、所謂る赤ん坊用インサートを装着帯に取付けることにより、幼児の座の高さを調節することが可能である。斯かるベビーキャリアに伴う欠点は、赤ん坊用インサートが無拘束の部材であるので、失くなるかもしれないということである。
【０００９】
特許文献１は、ベビーキャリアにおける幼児の座の高さを調節できるベビーキャリアを開示している。このベビーキャリアは、キャリアバッグを具備する。但し、キャリアバッグは、装着帯に取り外し可能に取付けられると共に、座の高さは、キャリアバッグの下側支持部分により調節されることができ、下側支持部分は、装着帯に対して異なる複数の高さで取り外し可能に取付けられるか、又は該下側支持部分は、ベビーキャリアの座の高さを調節すべく長さが調節可能な複数本のストラップを備えている。付随する説明文と共に、特に図２９Ａ及び図３２Ｄを参照されたい。
【００１０】
上述された実施例の両方において、キャリアバッグの下側部分は装着帯に取り外し可能に取付けられており、このことは、取り外し可能な取付具が開かれたなら、ベビーキャリアにより担持されていた幼児がベビーキャリアから落下するという結果を招く可能性があることに言及されるべきである。
【００１１】
特許文献１に係るベビーキャリアの更なる欠点は、下側支持部分が装着帯の上側位置に位置決めされたとき、キャリアバッグは短すぎるということである。
【００１２】
特許文献１に係るベビーキャリアの更なる欠点は、キャリアバッグの下側支持部分の高さが調節されるときに、臀部支持部の幅は限られた程度までしか修正されないということである。
【先行技術文献】
【特許文献】
【００１３】
【特許文献１】米国特許出願公開公報第２００７/００２９３５６号
【発明の概要】
【発明が解決しようとする課題】
【００１４】
故に、本発明の目的は、幼児のための調節可能な座の高さを備えると共に、長期に亙り使用可能なベビーキャリアであって、より小さな／より軽量な及びより大きな／より重い幼児達を支持する可能性も提供するベビーキャリアを達成することである。
【００１５】
本発明の更なる目的は、ユーザのミスを回避することである。即ち、ベビーキャリアにおける幼児の座の高さの調節は可及的に単純にされるべきであり、設定された座の高さの確認は容易であるべきであり、且つベビーキャリアは、失くなることがあり得る無拘束の部材を含まないということである。また、ミスにより、ベビーキャリアから幼児が落下することがあってはならない。
【課題を解決するための手段】
【００１６】
本発明に依れば、これらの目的は、
装着者の両方の肩領域の回りに延在するように配置された胸部ストラップと、腰ベルトと、胸部ストラップ及び腰ベルトに取付けられたキャリアバッグとを具備するベビーキャリアであって、キャリアバッグは脚部開口を有するフロントピースを具備し、フロントピースは手段の少なくとも一部と協働してキャリアポーチを形成しており、フロントピースの下側部分は第１臀部支持部を形成し、且つフロントピースは上側部分において夫々の胸部ストラップに対してバックルにより取り外し可能に取付けられるベビーキャリアにおいて、
第２臀部支持部が、下側部分と手段との間の、フロントピースの下側部分の内側に配置され、
第２臀部支持部は、該第２臀部支持部を非形成にできるように、フロントピースの幅方向に配置された分離手段により分割可能であり、
第２臀部支持部は、第１臀部支持部の座幅よりも狭い座幅を有し、且つ、
フロントピースは、夫々の脚部開口において、可撓性及び／又は開放可能な側縁部であって、第２臀部支持部により支持されたときにおける幼児のより狭い下肢の位置を可能にする側縁部を備えることを特徴とする、ベビーキャリアにより達成される。
【００１７】
本発明に係るベビーキャリアの更なる実施例は、従属請求項中に示される。
【００１８】
本発明は次に、添付図面を参照した非限定的な例の形態でより詳細に記述される。
【図面の簡単な説明】
【００１９】
【図１】本発明に係るベビーキャリアの第１実施例の前方からの斜視図である。
【図２】第２臀部支持部が形成されていない、本発明の第１実施例に係るベビーキャリアの側面図である。
【図３】図２と同一であるが、第２臀部支持部が形成された側面図である。
【図４】図２に示されたベビーキャリアの一部の部分的拡大側面図である。
【図５】第２臀部支持部が形成されていない、図１に示されたベビーキャリアの部分的拡大上面図である。
【図６】腰ベルトに近い胸部ストラップの下側部分が一体片で形成された、本発明に係るベビーキャリアの第２実施例の図５におけるのと同様の図である。
【図７】フロントピースの下側部分にて閉じ位置で示されたジッパを有する本発明に係るベビーキャリアの第３実施例の図４におけるのと同様の図である。
【図８】図７に示されたベビーキャリアの実施例の前方からの部分的拡大斜視図である。
【図９】フロントピースの下側部分にてジッパが閉じ位置で示され且つ第２臀部支持部が形成された、図７におけるのと同様の図である。
【発明を実施するための形態】
【００２０】
図１は、装着者の両方の肩領域の回りに延在するように夫々配置された調節可能な胸部ストラップ２と、調節可能な腰ベルト３と、胸部ストラップ及び腰ベルトに取付けられたキャリアバッグ４とを具備する本発明に係るベビーキャリア１を示している。キャリアバッグは、脚部開口を備えたフロントピース５を具備し、フロントピース５の下側部分７の端部は、腰ベルト３に固定的に取付けられると共に、該端部は、胸部ストラップ２の少なくとも一部又は同様の手段１２と協働してキャリアポーチ６を形成する。
【００２１】
好適実施例において、フロントピース５は適切な布地で作成され、前記布地によりパッドが囲繞される。別実施例において、ベビーキャリアは所謂るメッシュ布地で作成されることができ、その場合、メッシュ布地は、密に配置された多数の孔を有する、ゆるく織られたか又は編まれた布地として形成される。
【００２２】
特に図２及び図３からわかるように、各胸部ストラップ２は、第１実施例においては腰ベルト３からバックル１５まで延在する第１部分２ａと、バックル１５からフロントピース５の側面まで延在する第２部分２ｂとを具備する。
【００２３】
更に、第２部分２ｂの少なくとも一方は、接続デバイス１６により、フロントピース５の側面に取り外し可能に接続される。
【００２４】
フロントピースの下側部分７の端部は、腰ベルト３に対して、好適には、腰ベルト３の上側境界部３ａに接続されて、第１臀部支持部８を形成する。フロントピース５の下側部分７の端部は、好適実施例において、腰ベルト３の上側境界部３ａに固定的に取付けられ、より詳細には、端部を腰ベルト３の上側境界部３ａに縫い付けることにより取付けられ、即ち第１臀部支持部８は固定された臀部支持部である。
【００２５】
図２及び図３では、フロントピース５は、頭部支持部を形成する上側部分９にて、細長い布地片１０ｂの端部に配置された取り外し可能なバックル１０により夫々の胸部ストラップ２に取り外し可能に接続され、布地１０ｂの他端は、負荷を分散するため且つ上側部分９が下向きに折り曲げられることを回避するために、フロントピース５の上側部分９に対する幅の広い取付け部分を有することが表されている。布地片１０ｂの外側部には、その布地片の長さを短くすることを可能にするために、長手方向に調節可能なストラップ１０ａが配置される。ストラップ１０ａの一端、好適には取り外し可能なバックル１０に配置された一端は前記布地片に固定的に取付けられ、他端は、好適にはフロントピース５の上側部分９の境界部に取付けられたバックル１０ｃに調節可能に取付けられる。バックル１０ｃをこの様に取付けることにより、ストラップにより担持される負荷が上側部分９の全体に亙り分散されること、及びストラップの短寸化が、布地片に何らの大きな折り曲げ部が形成されること無く実施可能であるということが達成される。フロントピース５の上側部分９は、それの中央領域において、強靱であるが弾力性を有するシートを備えており、前記シートは、バックル１０ｃの取付けの夫々の下側点の間の仮想線からフロントピース５の上側部分９の上側境界部まで延在している。
【００２６】
特に図３及び図９を参照すると、フロントピース５の下側部分７の内側には、より詳細には、フロントピース５の下側部分７と、手段１２、好適には該手段の下側部分１２ａとの間には、第２臀部支持部１１が固定的に配置され、手段１２は、図５を参照すると、第１実施例においては、夫々の胸部ストラップ２の第１部分２ａの下側部分により形成され、例えば、第１部分２ａの一端は腰ベルト３の上側境界部３ａに固定的に取付けられるか、又は手段１２は、図６を参照すると、第２実施例においては、腰ベルト３の上側境界部３ａと基本的に水平なストラップ１９との間に延在する一体片として構成された部分２ｃにより形成される。故に、部分２ｃの下側部分は、腰ベルト３の上側境界部３ａに取付けられ、且つ部分２ｃの上側部分は、ストラップ１９の下側境界部、又は夫々の第１部分２ａの下端部に取付けられる。
【００２７】
第２臀部支持部１１は、第１臀部支持部８の座幅よりも狭い座幅を有する。
【００２８】
第２臀部支持部１１は、適切な奥行き及び幅を備えた布地片で好適に形成される。布地片は、好適には縫い付けにより、一方ではフロントピース５の下側部分７に対し、他方では手段１２の下側部分、即ち夫々の胸部ストラップ２の下側部分１２ａ、又は一体片で形成された部分２ｃに対して取付けられる。第２臀部支持部１１は、フロントピース５の幅方向に配置された分離手段１４により、２つの部分へと分割可能である。例えば、図４を参照されたい。分離手段１４は好適には、ジッパ、面ファスナ（Velcro（登録商標））、カギホック、プラスチック材料もしくは金属製の結合具、ボタン、及びレーシングから成る群から選択されて、第２臀部支持部の形成又は非形成に使用される。第２臀部支持部の形成状態においては、ベビーキャリアにより担持された赤ん坊はキャリアバッグ４内でより高位に着座するということが達成されると共に、前記形成状態は好適には、比較的に小さい幼児もしくは赤ん坊を担持するとき、即ちベビーキャリアの赤ん坊用位置で使用される。
【００２９】
好適実施例において、夫々の胸部ストラップ２の下側部分１２ｃ、又は一体片で形成された部分２ｃ、及びフロントピース５の下側部分７は、腰ベルト３の上側境界部３ａに対して同一箇所で固定的に取付けられて縫い付けられる。例えば、図４を参照されたい。
【００３０】
特に図４乃至図６からわかるように、第２臀部支持部の奥行き（図４における距離Ｘ＋Ｙ）は比較的に狭く作ることができる結果、その非形成状態において、ベビーキャリア内において第１臀部支持部により担持された幼児と干渉せず、またそれは小さな幼児もしくは赤ん坊を支持するように適合可能となる。第２臀部支持部及び／又は分離手段１４の一方もしくは他方の部材又は両方の部材は、例えば第２臀部支持部の形成状態において第２臀部支持部を全体的にもしくは部分的に覆う手段２０、即ち布地の舌状部２０により覆われ得る。第２臀部支持部１１の分離手段１４は、ベビーキャリアの装着者が単純な方法で、第２臀部支持部が形成されているか否かを理解するように、信号用の色彩を有し得る。
【００３１】
分離手段１４がジッパである場合、該ジッパは、好適実施例においては、先端停止部までずっと、即ちジッパの閉じ位置においてスライダが位置する箇所までは縫い付けられない。この理由は、ジッパが負荷を掛けられたときに、即ち第２臀部支持部により幼児が支持されたときに開くことを回避するためである。
【００３２】
図２乃至図６を参照すると、フロントピース５の下側／底部部分には、可撓性側縁部１３を有する脚部開口が形成され、前記脚部開口は、一実施例においては、布地のみで、即ちパッドを欠いて作成される。側縁部１３の布地は、フロントピース５の残部と同一種類であるか、又は幼児の快適さを高めるように異なる種類である。側縁部の布地は好適には、該布地の主要方向を、フロントピース５の布地の主要方向に対して約４５°の角度で配向することにより可撓性にされる。
【００３３】
夫々の側縁部１３は、フロントピース５に該側縁部を縫い付ける縫合ラインに直交して測定された少なくとも１ｃｍ、好適には少なくとも２ｃｍの幅を該側縁部が有するように、フロントピース５の端縁部分に好適に縫い付けられる。
【００３４】
フロントピース５の夫々の側縁部１３の少なくとも下側部分は、一実施例において、第２臀部支持部１１が形成されたとき、幼児の快適さを高める布地の余剰部が側縁部１３に形成される様に、即ち側縁部が幼児の大腿に対して圧力を生成しない様に設計される。特に、図３を参照されたい。
【００３５】
図４から推察され得るように、手段１２に対する第２臀部支持部１１の取付け点と、フロントピース５の下側部分７に対する（図４において縫合ラインとして示された）その取付け点との間の前記支持部の奥行きＸ＋Ｙは、フロントピース５の下側部分７に対する第２臀部支持部１１の取付け点と、腰ベルト３の上側境界部３ａに対する第１臀部支持部８の取付け点との間の距離Ｚよりも短い。この奥行きＸ＋Ｙは、約４０〜８０ｍｍ、好適には約５０〜７０ｍｍ、最も好適には約６０ｍｍであり、且つ、距離Ｚは、約７５〜１１５ｍｍ、好適には８５〜１０５ｍｍ、最も好適には約９５ｍｍである。更に、手段１２に対する第２臀部支持部１１の取付け点と、腰ベルト３の上側境界部３ａに対する手段１２の取付け点との間の距離Ｕは、約３０〜１２０ｍｍ、好適には約５０〜１００ｍｍ、最も好適には約７０ｍｍとされるべきである。
【００３６】
第２臀部支持部１１がジッパの形態である図４に示された実施例において、手段１２に取付けられたジッパの部分は、好適には、奥行き方向において約１０〜２５ｍｍ、好適には約１５ｍｍの幅Ｘを有し、フロントピース５の下側部分７に取付けられたジッパの他方の部分は、奥行き方向において約３０〜５５ｍｍ、好適には約４５ｍｍの幅Ｙを有する。
【００３７】
図７乃至図９に示された第３実施例において、少なくとも夫々の側縁部１３は、好適にはその最低点において、夫々のジッパの開き状態において、第２臀部支持部１１が形成されたときにフロントピース５の下側部分７の幅、即ち第１臀部支持部８の幅を減少するように、ジッパ２１又は他の任意の適切な手段を備える。夫々の側縁部１３に、ジッパ２１又は他の任意で適切な手段を備える結果、側縁部１３は可撓性である必要がなくなる、というのも代わりに夫々の側縁部１３を開くことができるからである。好適実施例において、ジッパ２１は、少なくとも、図８に示されたフロントピースの二重の垂直縫合ラインまで延在し、またジッパ２１は、キャリアポーチ６の内側の方では、三角形の布地片２２により覆われ、前記布地片２２はジッパ２１の開き位置においてジッパの２つの部分を接続する。
【００３８】
フロントピース５の下側部分に形成された夫々の脚部開口のサイズを縮小できるように、関連するボタン１８ａを有するストラップ１８が配置される。図１を参照されたい。
【００３９】
キャリアポーチ６から幼児が落下することを防止するために、基本的に水平なストラップ１９は、フロントピース５の関連部分と協働して該ストラップ１９により閉ループが形成される様に、フロントピース５に対する胸部ストラップ２の夫々の第２部分２ｂの取付け点同士の間において且つ前記取付け点のレベルで延在するように配置される。特に、図５乃至図９を参照されたい。このストラップ１９は好適には、第１臀部支持部８又は第２臀部支持部１１と協働して、本発明のベビーキャリアにより支持された幼児の確実な囲繞を行うべく、胸部ストラップ２の夫々の部分２ａ、又は一体片で形成された部分２ｃに対しても取付けられる。
【００４０】
胸部ストラップ２が装着者の両方の肩領域の回りに延在するように配置されるという表現は、胸部ストラップが、装着者の背中側／胸部側にて相互に交差され又は相互に平行に延在し得るということを包含すると理解されるべきであり、両方の場合において、胸部ストラップは、胸部ストラップに沿って移動可能であり且つ胸部ストラップ間の距離の調節を可能とするバックル１７により相互に接続される。
【図１】
2018149349.tif 000003
【図２】
2018149349.tif 000004
【図３】
2018149349.tif 000005
【図４】
2018149349.tif 000006
【図５】
2018149349.tif 000007
【図６】
2018149349.tif 000008
【図７】
2018149349.tif 000009
【図８】
2018149349.tif 000010
【図９】
2018149349.tif 000011
【手続補正書】
【提出日】平成30年5月28日(2018.5.28)
【手続補正１】
【補正対象書類名】明細書
【補正対象項目名】全文
【補正方法】変更
【補正の内容】
【発明の詳細な説明】
【技術分野】
【０００１】
本発明は、請求項１の前提部分に示された形式のベビーキャリアに関する。
【背景技術】
【０００２】
故に、本発明は、胸部ストラップを具備する一般的な形式の装着帯と、腰ベルトと、装着帯及び腰ベルトに取付けられたキャリアポーチとを含むベビーキャリアに関するものであり、前記キャリアポーチは、脚部開口を備えたフロントピースと胸部ストラップの少なくとも一部もしくは類似手段とにより形成されている。
【０００３】
本発明に係るベビーキャリアは、好適には、その顔面が該ベビーキャリアの装着者に対して向けられた状態、即ち顔を見合わせた状態で赤ん坊を担持することが意図される。
【０００４】
長期間に亙り、一つの同一のベビーキャリアを使用できることが望ましいであろう。しかし、一つの問題は、赤ん坊が自身の生涯の初年中に比較的大きく成長する結果、キャリアにおける赤ん坊に対する座の高さが、好適には単純で安全な様式で、即ち赤ん坊位置と幼児位置との間で調節可能でなければならないということになる。
【０００５】
通常、このことは、臀部支持部を形成するフロントピースの下側部分によりなされ、前記下側部分は、所望の座の高さに依存して適切なバックルにより短縮もしくは伸張され得る舌状部として形作られている。
【０００６】
しかし、これは、臀部支持部が、比較的に幅が狭くなって大きな又は重い幼児には適合せず、且つ座の高さがベビーキャリアの装着者の認識なしに場合によっては変化するという結果を招く。
【０００７】
この問題を、比較的幅の狭い臀部支持部により回避する一つの手法は、比較的幅の広い臀部支持部を実現するために、フロントピースの下側部分を腰ベルトに取付けることである。しかし、このことは、幼児の座の高さを調節する可能性が失われる結果を招く。
【０００８】
別の形式のベビーキャリアにおいては、そのベビーキャリアを長期に亙り使用できるように、所謂る赤ん坊用インサートを装着帯に取付けることにより、幼児の座の高さを調節することが可能である。斯かるベビーキャリアに伴う欠点は、赤ん坊用インサートが無拘束の部材であるので、失くなるかもしれないということである。
【０００９】
特許文献１は、ベビーキャリアにおける幼児の座の高さを調節できるベビーキャリアを開示している。このベビーキャリアは、キャリアバッグを具備する。但し、キャリアバッグは、装着帯に取り外し可能に取付けられると共に、座の高さは、キャリアバッグの下側支持部分により調節されることができ、下側支持部分は、装着帯に対して異なる複数の高さで取り外し可能に取付けられるか、又は該下側支持部分は、ベビーキャリアの座の高さを調節すべく長さが調節可能な複数本のストラップを備えている。付随する説明文と共に、特に図２９Ａ及び図３２Ｄを参照されたい。
【００１０】
上述された実施例の両方において、キャリアバッグの下側部分は装着帯に取り外し可能に取付けられており、このことは、取り外し可能な取付具が開かれたなら、ベビーキャリアにより担持されていた幼児がベビーキャリアから落下するという結果を招く可能性があることに言及されるべきである。
【００１１】
特許文献１に係るベビーキャリアの更なる欠点は、下側支持部分が装着帯の上側位置に位置決めされたとき、キャリアバッグは短すぎるということである。
【００１２】
特許文献１に係るベビーキャリアの更なる欠点は、キャリアバッグの下側支持部分の高さが調節されるときに、臀部支持部の幅は限られた程度までしか修正されないということである。
【先行技術文献】
【特許文献】
【００１３】
【特許文献１】米国特許出願公開公報第２００７/００２９３５６号
【発明の概要】
【発明が解決しようとする課題】
【００１４】
故に、本発明の目的は、幼児のための調節可能な座の高さを備えると共に、長期に亙り使用可能なベビーキャリアであって、より小さな／より軽量な及びより大きな／より重い幼児達を支持する可能性も提供するベビーキャリアを達成することである。
【００１５】
本発明の更なる目的は、ユーザのミスを回避することである。即ち、ベビーキャリアにおける幼児の座の高さの調節は可及的に単純にされるべきであり、設定された座の高さの確認は容易であるべきであり、且つベビーキャリアは、失くなることがあり得る無拘束の部材を含まないということである。また、ミスにより、ベビーキャリアから幼児が落下することがあってはならない。
【課題を解決するための手段】
【００１６】
本発明に依れば、これらの目的は、
装着者の両方の肩領域の回りに延在するように配置された胸部ストラップと、腰ベルトと、胸部ストラップ及び腰ベルトに取付けられたキャリアバッグとを具備するベビーキャリアであって、キャリアバッグは脚部開口を有するフロントピースを具備し、フロントピースは手段の少なくとも一部と協働してキャリアポーチを形成しており、フロントピースの下側部分は第１臀部支持部を形成し、且つフロントピースは上側部分において夫々の胸部ストラップに対してバックルにより取り外し可能に取付けられるベビーキャリアにおいて、
第２臀部支持部が、下側部分と手段との間の、フロントピースの下側部分の内側に配置され、
第２臀部支持部は、該第２臀部支持部を非形成にできるように、フロントピースの幅方向に配置された分離手段により分割可能であり、
第２臀部支持部は、第１臀部支持部の座幅よりも狭い座幅を有し、且つ、
フロントピースは、夫々の脚部開口において、可撓性及び／又は開放可能な側縁部であって、第２臀部支持部により支持されたときにおける幼児のより狭い下肢の位置を可能にする側縁部を備えることを特徴とする、ベビーキャリアにより達成される。
【００１７】
本発明に係るベビーキャリアの更なる実施例は、従属請求項中に示される。
【００１８】
本発明は次に、添付図面を参照した非限定的な例の形態でより詳細に記述される。
【図面の簡単な説明】
【００１９】
【図１】本発明に係るベビーキャリアの第１実施例の前方からの斜視図である。
【図２】第２臀部支持部が形成されていない、本発明の第１実施例に係るベビーキャリアの側面図である。
【図３】図２と同一であるが、第２臀部支持部が形成された側面図である。
【図４】図２に示されたベビーキャリアの一部の部分的拡大側面図である。
【図５】第２臀部支持部が形成されていない、図１に示されたベビーキャリアの部分的拡大上面図である。
【図６】腰ベルトに近い胸部ストラップの下側部分が一体片で形成された、本発明に係るベビーキャリアの第２実施例の図５におけるのと同様の図である。
【図７】フロントピースの下側部分にて閉じ位置で示されたジッパを有する本発明に係るベビーキャリアの第３実施例の図４におけるのと同様の図である。
【図８】図７に示されたベビーキャリアの実施例の前方からの部分的拡大斜視図である。
【図９】フロントピースの下側部分にてジッパが閉じ位置で示され且つ第２臀部支持部が形成された、図７におけるのと同様の図である。
【発明を実施するための形態】
【００２０】
図１は、装着者の両方の肩領域の回りに延在するように夫々配置された調節可能な胸部ストラップ２と、調節可能な腰ベルト３と、胸部ストラップ及び腰ベルトに取付けられたキャリアバッグ４とを具備する本発明に係るベビーキャリア１を示している。キャリアバッグは、脚部開口を備えたフロントピース５を具備し、フロントピース５の下側部分７の端部は、腰ベルト３に固定的に取付けられると共に、該端部は、胸部ストラップ２の少なくとも一部又は同様の手段１２と協働してキャリアポーチ６を形成する。
【００２１】
好適実施例において、フロントピース５は適切な布地で作成され、前記布地によりパッドが囲繞される。別実施例において、ベビーキャリアは所謂るメッシュ布地で作成されることができ、その場合、メッシュ布地は、密に配置された多数の孔を有する、ゆるく織られたか又は編まれた布地として形成される。
【００２２】
特に図２及び図３からわかるように、各胸部ストラップ２は、第１実施例においては腰ベルト３からバックル１５まで延在する第１部分２ａと、バックル１５からフロントピース５の側面まで延在する第２部分２ｂとを具備する。
【００２３】
更に、第２部分２ｂの少なくとも一方は、接続デバイス１６により、フロントピース５の側面（外面５ａ）に取り外し可能に接続される。
【００２４】
フロントピースの下側部分７の端部は、腰ベルト３に対して、好適には、腰ベルト３の上側境界部３ａに接続されて、第１臀部支持部８を形成する。フロントピース５の下側部分７の端部は、好適実施例において、腰ベルト３の上側境界部３ａに固定的に取付けられ、より詳細には、端部を腰ベルト３の上側境界部３ａに縫い付けることにより取付けられ、即ち第１臀部支持部８は固定された臀部支持部である。
【００２５】
図２及び図３では、フロントピース５は、頭部支持部を形成する上側部分９にて、細長い布地片１０ｂの端部に配置された取り外し可能なバックル１０により夫々の胸部ストラップ２に取り外し可能に接続され、布地１０ｂの他端は、負荷を分散するため且つ上側部分９が下向きに折り曲げられることを回避するために、フロントピース５の上側部分９に対する幅の広い取付け部分を有することが表されている。布地片１０ｂの外側部には、その布地片の長さを短くすることを可能にするために、長手方向に調節可能なストラップ１０ａが配置される。ストラップ１０ａの一端、好適には取り外し可能なバックル１０に配置された一端は前記布地片に固定的に取付けられ、他端は、好適にはフロントピース５の上側部分９の境界部に取付けられたバックル１０ｃに調節可能に取付けられる。バックル１０ｃをこの様に取付けることにより、ストラップにより担持される負荷が上側部分９の全体に亙り分散されること、及びストラップの短寸化が、布地片に何らの大きな折り曲げ部が形成されること無く実施可能であるということが達成される。フロントピース５の上側部分９は、それの中央領域において、強靱であるが弾力性を有するシートを備えており、前記シートは、バックル１０ｃの取付けの夫々の下側点の間の仮想線からフロントピース５の上側部分９の上側境界部まで延在している。
【００２６】
特に図３及び図９を参照すると、フロントピース５の下側部分７の内側には、より詳細には、フロントピース５の下側部分７と、手段１２、好適には該手段の下側部分１２ａとの間には、第２臀部支持部１１が固定的に配置され、手段１２は、図５を参照すると、第１実施例においては、夫々の胸部ストラップ２の第１部分２ａの下側部分により形成され、例えば、第１部分２ａの一端は腰ベルト３の上側境界部３ａに固定的に取付けられるか、又は手段１２は、図６を参照すると、第２実施例においては、腰ベルト３の上側境界部３ａと基本的に水平なストラップ１９との間に延在する一体片として構成された部分２ｃにより形成される。故に、部分２ｃの下側部分は、腰ベルト３の上側境界部３ａに取付けられ、且つ部分２ｃの上側部分は、ストラップ１９の下側境界部、又は夫々の第１部分２ａの下端部に取付けられる。
【００２７】
第２臀部支持部１１は、第１臀部支持部８の座幅よりも狭い座幅を有する。
【００２８】
第２臀部支持部１１は、適切な奥行き及び幅を備えた布地片で好適に形成される。布地片は、好適には縫い付けにより、一方ではフロントピース５の下側部分７に対し、他方では手段１２の下側部分、即ち夫々の胸部ストラップ２の下側部分１２ａ、又は一体片で形成された部分２ｃに対して取付けられる。第２臀部支持部１１は、フロントピース５の幅方向に配置された分離手段１４により、２つの部分へと分割可能である。例えば、図４を参照されたい。分離手段１４は好適には、ジッパ、面ファスナ（Velcro（登録商標））、カギホック、プラスチック材料もしくは金属製の結合具、ボタン、及びレーシングから成る群から選択されて、第２臀部支持部の形成又は非形成に使用される。第２臀部支持部の形成状態においては、ベビーキャリアにより担持された赤ん坊はキャリアバッグ４内でより高位に着座するということが達成されると共に、前記形成状態は好適には、比較的に小さい幼児もしくは赤ん坊を担持するとき、即ちベビーキャリアの赤ん坊用位置で使用される。
【００２９】
好適実施例において、夫々の胸部ストラップ２の下側部分１２ｃ、又は一体片で形成された部分２ｃ、及びフロントピース５の下側部分７は、腰ベルト３の上側境界部３ａに対して同一箇所で固定的に取付けられて縫い付けられる。例えば、図４を参照されたい。
【００３０】
特に図４乃至図６からわかるように、第２臀部支持部の奥行き（図４における距離Ｘ＋Ｙ）は比較的に狭く作ることができる結果、その非形成状態において、ベビーキャリア内において第１臀部支持部により担持された幼児と干渉せず、またそれは小さな幼児もしくは赤ん坊を支持するように適合可能となる。第２臀部支持部及び／又は分離手段１４の一方もしくは他方の部材又は両方の部材は、例えば第２臀部支持部の形成状態において第２臀部支持部を全体的にもしくは部分的に覆う手段２０、即ち布地の舌状部２０により覆われ得る。第２臀部支持部１１の分離手段１４は、ベビーキャリアの装着者が単純な方法で、第２臀部支持部が形成されているか否かを理解するように、信号用の色彩を有し得る。
【００３１】
分離手段１４がジッパである場合、該ジッパは、好適実施例においては、先端停止部までずっと、即ちジッパの閉じ位置においてスライダが位置する箇所までは縫い付けられない。この理由は、ジッパが負荷を掛けられたときに、即ち第２臀部支持部により幼児が支持されたときに開くことを回避するためである。
【００３２】
図２乃至図６を参照すると、フロントピース５の下側／底部部分には、可撓性側縁部１３を有する脚部開口が形成され、前記脚部開口は、一実施例においては、布地のみで、即ちパッドを欠いて作成される。側縁部１３の布地は、フロントピース５の残部と同一種類であるか、又は幼児の快適さを高めるように異なる種類である。側縁部の布地は好適には、該布地の主要方向を、フロントピース５の布地の主要方向に対して約４５°の角度で配向することにより可撓性にされる。
【００３３】
夫々の側縁部１３は、フロントピース５に該側縁部を縫い付ける縫合ラインに直交して測定された少なくとも１ｃｍ、好適には少なくとも２ｃｍの幅を該側縁部が有するように、フロントピース５の端縁部分に好適に縫い付けられる。
【００３４】
フロントピース５の夫々の側縁部１３の少なくとも下側部分は、一実施例において、第２臀部支持部１１が形成されたとき、幼児の快適さを高める布地の余剰部が側縁部１３に形成される様に、即ち側縁部が幼児の大腿に対して圧力を生成しない様に設計される。特に、図３を参照されたい。
【００３５】
図４から推察され得るように、手段１２に対する第２臀部支持部１１の取付け点と、フロントピース５の下側部分７に対する（図４において縫合ラインとして示された）その取付け点との間の前記支持部の奥行きＸ＋Ｙは、フロントピース５の下側部分７に対する第２臀部支持部１１の取付け点と、腰ベルト３の上側境界部３ａに対する第１臀部支持部８の取付け点との間の距離Ｚよりも短い。この奥行きＸ＋Ｙは、約４０〜８０ｍｍ、好適には約５０〜７０ｍｍ、最も好適には約６０ｍｍであり、且つ、距離Ｚは、約７５〜１１５ｍｍ、好適には８５〜１０５ｍｍ、最も好適には約９５ｍｍである。更に、手段１２に対する第２臀部支持部１１の取付け点と、腰ベルト３の上側境界部３ａに対する手段１２の取付け点との間の距離Ｕは、約３０〜１２０ｍｍ、好適には約５０〜１００ｍｍ、最も好適には約７０ｍｍとされるべきである。
【００３６】
第２臀部支持部１１がジッパの形態である図４に示された実施例において、手段１２に取付けられたジッパの部分は、好適には、奥行き方向において約１０〜２５ｍｍ、好適には約１５ｍｍの幅Ｘを有し、フロントピース５の下側部分７に取付けられたジッパの他方の部分は、奥行き方向において約３０〜５５ｍｍ、好適には約４５ｍｍの幅Ｙを有する。
【００３７】
図７乃至図９に示された第３実施例において、少なくとも夫々の側縁部１３は、好適にはその最低点において、夫々のジッパの開き状態において、第２臀部支持部１１が形成されたときにフロントピース５の下側部分７の幅、即ち第１臀部支持部８の幅を減少するように、ジッパ２１又は他の任意の適切な手段を備える。夫々の側縁部１３に、ジッパ２１又は他の任意で適切な手段を備える結果、側縁部１３は可撓性である必要がなくなる、というのも代わりに夫々の側縁部１３を開くことができるからである。好適実施例において、ジッパ２１は、少なくとも、図８に示されたフロントピースの二重の垂直縫合ラインまで延在し、またジッパ２１は、キャリアポーチ６の内側の方では、三角形の布地片２２により覆われ、前記布地片２２はジッパ２１の開き位置においてジッパの２つの部分を接続する。
【００３８】
フロントピース５の下側部分に形成された夫々の脚部開口のサイズを縮小できるように、関連するボタン１８ａを有するストラップ１８が配置される。図１を参照されたい。
【００３９】
キャリアポーチ６から幼児が落下することを防止するために、基本的に水平なストラップ１９は、フロントピース５の関連部分と協働して該ストラップ１９により閉ループが形成される様に、フロントピース５に対する胸部ストラップ２の夫々の第２部分２ｂの取付け点同士の間において且つ前記取付け点のレベルで延在するように配置される。特に、図５乃至図９を参照されたい。このストラップ１９は好適には、第１臀部支持部８又は第２臀部支持部１１と協働して、本発明のベビーキャリアにより支持された幼児の確実な囲繞を行うべく、胸部ストラップ２の夫々の部分２ａ、又は一体片で形成された部分２ｃに対しても取付けられる。
【００４０】
胸部ストラップ２が装着者の両方の肩領域の回りに延在するように配置されるという表現は、胸部ストラップが、装着者の背中側／胸部側にて相互に交差され又は相互に平行に延在し得るということを包含すると理解されるべきであり、両方の場合において、胸部ストラップは、胸部ストラップに沿って移動可能であり且つ胸部ストラップ間の距離の調節を可能とするバックル１７により相互に接続される。
【手続補正２】
【補正対象書類名】特許請求の範囲
【補正対象項目名】全文
【補正方法】変更
【補正の内容】
【特許請求の範囲】
【請求項１】
装着者の両方の肩領域の回りに延在するように配置された二本の胸部ストラップ（２）と、腰ベルト（３）と、腰ベルト（３）に連結されて腰ベルト（３）の上方に突出するフロントピース（５）を備え、
前記二つの胸部ストラップ（２）の少なくとも一方は、接続デバイス（１６）によりフロントピース（５）の外面（５ａ）に取り外し可能に接続される、
ことを特徴とするベビーキャリア。
【請求項２】
請求項１記載のベビーキャリアにおいて、
夫々の胸部ストラップ（２）とフロントピース（５）とがバックル（１０）により取り外し可能に接続される、
ことを特徴とするベビーキャリア。
【請求項３】
請求項１又は請求項２記載のベビーキャリアにおいて、
乳幼児が収まるキャリアバッグ（４）を備え、
前記キャリアバッグ（４）は、フロントピース（５）と当該フロントピース（５）の内側下部に対向して設けられた手段（１２）との間に形成されたキャリアポーチ（６）を備えた、
ことを特徴とするベビーキャリア。
【請求項４】
請求項３記載のベビーキャリアにおいて、
二本の胸部トラップ（２）の夫々が、キャリアバッグ（４）の上部からバックル（１５）までの第1部分（２ａ）と、当該バックル（１５）からフロントピース（５）の外面（５ａ）までの第２部分（２ｂ）とを備え、
少なくとも一方の第２部分（２ｂ）のフロントピース（５）側の端部は、接続デバイス（１６）によりフロントピース（５）の外面（５ａ）に取り外し可能に接続される、
ことを特徴とするベビーキャリア。